(57)【要約】  【課題】  防食コアのがたつき防止の信頼性を向上させる。【解決手段】  フランジ形管継手１０は、フランジ本体２０と、防食コア２２とを備える。フランジ本体２０は、外筒部３０と、コア固定部３２と、フランジ鍔部３４とを有する。コア固定部３２は防食コア２２を固定する。フランジ鍔部３４は外筒部３０の一端部４０に設けられる。防食コア２２は、内筒部と、抜止部と、シール鍔部とを有する。内筒部は外筒部３０内に挿入される。抜止部は、コア固定部３２でフランジ本体２０に連結される。抜止部は、内筒部が外筒部３０から抜けることを防止する。シール鍔部は内筒部の一端部に設けられている。シール鍔部が、コア固定部３２で抜止部がフランジ本体２０に連結されるとフランジ鍔部３４に接触してたわむ。【選択図】      図１
2014219087.tif 000002
【特許請求の範囲】
【請求項１】
フランジ本体と、
防食コアとを備え、
前記フランジ本体が、
一端部及び他端部に開口が形成されている外筒部と、
前記防食コアを固定するコア固定部と、
前記外筒部の前記一端部に設けられるフランジ鍔部とを有しており、
前記防食コアが、
一端部及び他端部に開口が形成されており前記外筒部内に挿入される内筒部と、
前記コア固定部で前記フランジ本体に連結され、かつ、前記内筒部が前記外筒部から抜けることを防止する抜止部と、
前記内筒部の前記一端部に設けられているシール鍔部とを有しているフランジ形管継手であって、
前記シール鍔部が、前記コア固定部で前記抜止部が前記フランジ本体に連結されると前記フランジ鍔部に接触してたわむことを特徴とするフランジ形管継手。
【請求項２】
前記シール鍔部が、前記内筒部から離れるにつれ前記内筒部の前記他端部側へ寄っていることを特徴とする請求項１に記載のフランジ形管継手。
【請求項３】
前記フランジ本体が、前記外筒部の一端部の開口を取囲み、かつ、前記シール鍔部が嵌まる凹部をさらに有することを特徴とする請求項１に記載のフランジ形管継手。
【請求項４】
前記凹部が、前記外筒部の一端部の開口へ近づくにつれ窄まるテーパ状の底面を有していることを特徴とする請求項３に記載のフランジ形管継手。
【請求項５】
前記コア固定部に、前記外筒部の内周に配置されるめねじが設けられており、
前記抜止部に、前記内筒部の外周に配置され前記コア固定部の前記めねじとかみ合うおねじが設けられることを特徴とする請求項１に記載のフランジ形管継手。
【請求項６】
前記コア固定部の前記めねじが左ねじであり、
前記抜止部の前記おねじが左ねじであることを特徴とする請求項５に記載のフランジ形管継手。
【発明の詳細な説明】
【技術分野】
【０００１】
本発明はフランジ形管継手に関する。
【背景技術】
【０００２】
特許文献１は防食フランジ継手を開示する。この防食フランジ継手は、金属製フランジ本体と、樹脂製の管端防食コアとからなる。金属製フランジ本体の一端にめねじが設けられている。このめねじは管接続用である。他端に切欠きが設けられている。この切欠き部の形状は周方向に長い楕円形である。管端防食コアは、フランジ本体のめねじと切欠きとに引っ掛かる。管端防食コアはフランジ本体と一体成形される。特許文献１に開示された防食フランジ継手によれば、管がねじ込まれ接続される際に防食コアがフランジ本体から外れない。
【先行技術文献】
【特許文献】
【０００３】
【特許文献１】特開平７−１１００８５号公報
【発明の概要】
【発明が解決しようとする課題】
【０００４】
特許文献１に開示された防食フランジ継手には、一体成形に手間がかかるという問題がある。一体成形に手間がかかるのは、フランジ本体そのものが射出成形用の型となるためである。
【０００５】
一体成形に手間がかかるという問題の対策には、予め制作された防食コアをフランジ本体に嵌めるというものがある。この場合、防食コアとフランジ本体とが接着されていると、管を防食フランジ継手に接続する際、防食コアのがたつきを防ぐことができる。
【０００６】
予め制作された防食コアがフランジ本体に嵌められており、かつ、防食コアとフランジ本体とが接着されている防食フランジ継手には、がたつかないはずの防食コアががたつくことがあるという問題点がある。防食コアががたつくことがあるのは、管を防食フランジ継手に接続する際、接着剤が破壊されるためである。接着剤が破壊されるのは、接着剤にのみ力がかかるためである。
【０００７】
本発明は、この問題点を解消するものである。その目的は、防食コアのがたつき防止の信頼性を向上させることにある。
【課題を解決するための手段】
【０００８】
図面を参照し本発明のフランジ形管継手を説明する。なおこの欄で図中の符号を使用したのは発明の内容の理解を助けるためである。この欄で図中の符号を使用することには発明の内容を図示した範囲に限定する意図がない。
【０００９】
上述した目的を達成するために、本発明のある局面に従うと、フランジ形管継手１０，１１０は、フランジ本体２０，１２０と、防食コア２２，２４，１２２とを備える。フランジ本体２０，１２０は、外筒部３０と、コア固定部３２，１３２と、フランジ鍔部３４とを有する。外筒部３０の一端部４０及び他端部４２に開口４５，４７が形成されている。コア固定部３２，１３２は防食コア２２，２４，１２２を固定する。フランジ鍔部３４は外筒部３０の一端部４０に設けられる。防食コア２２，２４，１２２は、内筒部７０と、抜止部７２，７８，１７２と、シール鍔部７４とを有する。内筒部７０の一端部８０及び他端部８２に開口８５，８７が形成されている。内筒部７０は外筒部３０内に挿入される。抜止部７２，７８，１７２は、コア固定部３２，１３２でフランジ本体２０，１２０に連結される。抜止部７２，７８，１７２は、内筒部７０が外筒部３０から抜けることを防止する。シール鍔部７４は内筒部７０の一端部８０に設けられている。シール鍔部７４は、コア固定部３２，１３２で抜止部７２，７８，１７２がフランジ本体２０，１２０に連結されるとフランジ鍔部３４に接触してたわむ。
【００１０】
抜止部７２，７８，１７２がコア固定部３２，１３２でフランジ本体２０，１２０に連結されると、内筒部７０が外筒部３０から抜けることは抜止部７２，７８，１７２によって防止される。抜止部７２，７８，１７２がコア固定部３２，１３２でフランジ本体２０，１２０に連結されると、シール鍔部７４がフランジ本体２０，１２０に接触してたわむ。シール鍔部７４がたわむと、内筒部７０を外筒部３０から引き抜こうとする力が作用する。内筒部７０を外筒部３０から引き抜こうとする力が作用する一方、内筒部７０が外筒部３０から抜けることが防止されると、防食コア２２，２４，１２２ががたつくことは防止される。これにより、がたつき防止の信頼性を向上させることができる。
【００１１】
また、上述したシール鍔部７４が、内筒部７０から離れるにつれ内筒部７０の他端部８２側へ寄っていることが望ましい。これにより、そうでない場合に比べ、フランジ鍔部３４に接触することによるたわみが大きくなる。たわみが大きいので、シール鍔部７４がフランジ鍔部３４にしっかりと押し付けられる。これにより、がたつき防止の信頼性を向上させることができる。
【００１２】
また、上述したフランジ本体２０，１２０が凹部５２をさらに有することが望ましい。凹部５２は、外筒部３０の一端部４０の開口４５を取囲む。凹部５２にはシール鍔部７４が嵌まる。シール鍔部７４がない場合は、開口４５から漏れた流体がフランジ本体２０，１２０に何らかの悪影響を及ぼす恐れがあった。例えばフランジ本体２０，１２０の素材が鋼であった場合、開口４５から漏れた流体によりフランジ本体２０，１２０の腐食の恐れがあった。シール鍔部７４により、開口４５の周りがシールされるので、フランジ本体２０，１２０に何らかの悪影響が及ぼす恐れがなくなる。
【００１３】
もしくは、上述した凹部５２がテーパ状の底面を有していることが望ましい。このテーパ状の底面は外筒部３０の一端部４０の開口４５へ近づくにつれ窄まる。これにより、シール鍔部７４のうち外縁部分が凹部５２に接触しやすくなる。内筒部７０に近い部分は凹部５２に接触し難くなる。外縁部分が凹部５２に接触しやすく内筒部７０に近い部分が凹部５２に接触し難いので、シール鍔部７４が大きくたわみやすくなる。大きくたわみやすくなるので、シール鍔部７４がフランジ鍔部３４にしっかりと押し付けられる。これにより、がたつき防止の信頼性を向上させることができる。
【００１４】
また、上述したコア固定部１３２にめねじが設けられていることが望ましい。このめねじは外筒部３０の内周に配置される。この場合、抜止部１７２におねじが設けられる。このおねじは内筒部７０の外周に配置される。おねじはコア固定部１３２のめねじとかみ合う。
【００１５】
もしくは、上述したコア固定部１３２のめねじが左ねじであることが望ましい。この場合、抜止部１７２のおねじが左ねじである。
【発明の効果】
【００１６】
本発明によれば、防食コアのがたつき防止の信頼性を向上させることができる。
【図面の簡単な説明】
【００１７】
【図１】本発明の第１の実施形態にかかるフランジ形管継手の断面図である。
【図２】本発明の第１の実施形態にかかる防食コアの図である。
【図３】本発明の第２の実施形態にかかるフランジ形管継手の断面図である。
【図４】本発明の第２の実施形態にかかる防食コアの図である。
【図５】本発明の他の実施形態にかかる防食コアの図である。
【発明を実施するための形態】
【００１８】
＜第１の実施形態＞
以下、図面を参照しつつ、本発明の第１の実施形態について説明する。以下の説明では、同一の部品には同一の符号を付してある。それらの名称及び機能も同一である。したがって、それらについての詳細な説明は繰返さない。
【００１９】
［構造の説明］
図１は、本実施形態にかかるフランジ形管継手１０の断面図である。図１に基づいて、本実施形態にかかるフランジ形管継手１０の構成が説明される。本実施形態にかかるフランジ形管継手１０は、２枚１組、または、他のフランジとの組合せで用いられる。２枚のフランジ形管継手１０は、図示しないボルトとナットとによって一体化される。それらのボルトとナットとは図示されていない。２枚のフランジ形管継手１０の間には、ガスケットが挟まれる。ガスケットも図示されていない。本実施形態にかかるフランジ形管継手１０は、フランジ本体２０と、防食コア２２とを備える。
【００２０】
図１に基づいて、本実施形態にかかるフランジ本体２０の構成が説明される。本実施形態の場合、フランジ本体２０の素材は鋳鉄である。もちろん、フランジ本体２０の素材は鋳鉄に限定されない。フランジ本体２０は、外筒部３０と、コア固定部３２と、フランジ鍔部３４と、シール部３６とを有する。外筒部３０は一端部４０と他端部４２とを有する。外筒部３０の一端部４０には開口４５が形成されている。外筒部３０の他端部４２には開口４７が形成されている。これにより、外筒部３０の他端部４２の開口４７から外筒部３０の中に鋼管が挿入可能である。なお、図１にその鋼管は図示されていない。コア固定部３２は、外筒部３０の内周に配置される。本実施形態の場合、コア固定部３２には溝が設けられている。フランジ鍔部３４は外筒部３０の一端部４０に設けられる。フランジ鍔部３４は上述したボルトとナットとによって締め付けられる。シール部３６はフランジ鍔部３４の表面に配置される。シール部３６は外筒部３０の一端部４０の開口４５を取囲む。２枚のフランジ形管継手１０が一体化される際、ガスケットがシール部３６に密着することによって、２枚のフランジ形管継手１０の間がシールされる。シール部３６は密着部５０と凹部５２とを有している。密着部５０はガスケットと密着する。本実施形態の場合、密着部５０の形状は環状である。凹部５２はその環状の密着部５０に取囲まれている。凹部５２は外筒部３０の一端部４０の開口４５を取囲む。凹部５２は密着部５０よりも凹んでいる。本実施形態の場合、凹部５２の底面は外筒部３０の中心軸６０に直行する平面である。
【００２１】
図２は、本実施形態にかかる防食コア２２の図である。図２において、防食コア２２の左半分は断面図となっている。図１と図２とに基づいて、本実施形態にかかる防食コア２２の構成が説明される。本実施形態の場合、防食コア２２はポリエチレン樹脂製である。防食コア２２は、内筒部７０と、抜止部７２と、シール鍔部７４と管内面シール部７６とを有する。内筒部７０は外筒部３０内に挿入される。内筒部７０の形状は筒状である。これにより、外筒部３０の開口４７から挿入された鋼管の先端は、外筒部３０と内筒部７０との間に進入する。なお、図２にその鋼管は図示されていない。内筒部７０の一端部８０には開口８５が形成されている。内筒部７０の他端部８２には開口８７が形成されている。抜止部７２は内筒部７０の一端部８０に設けられる。抜止部７２はフランジ本体２０のコア固定部３２の溝に嵌まる。抜止部７２は、コア固定部３２の溝に嵌まることで、内筒部７０が外筒部３０から抜けることを防止する。抜止部７２がコア固定部３２でフランジ本体２０に連結されることとなる。コア固定部３２が防食コア２２を固定することとなる。これにより、防食コア２２はフランジ本体２０と一体化する。シール鍔部７４は内筒部７０の一端部８０に設けられている。シール鍔部７４は抜止部７２と隣り合う。シール鍔部７４は、内筒部７０から離れるにつれ内筒部７０の他端部８２側へ寄っている。寄っていることにより、抜止部７２がフランジ本体２０に連結されるとシール鍔部７４がフランジ鍔部３４に接触してたわむ。このため、本実施形態の場合、シール鍔部７４の外縁部９０が凹部５２に密着する。シール鍔部７４の付け根部分９２は凹部５２から離れる。シール鍔部７４はフランジ本体２０の密着部５０と共にガスケットに密着する。管内面シール部７６は内筒部７０の他端に設けられる。管内面シール部７６は鋼管の内周面に密着する。この鋼管は、外筒部３０と内筒部７０との間に進入した鋼管である。管内面シール部７６が鋼管の内周面に密着することにより防食コア２２と鋼管との間がシールされる。
【００２２】
［組立方法の説明］
本実施形態にかかるフランジ形管継手１０の組立方法は以下の通りである。まず、製造者は、フランジ本体２０の凹部５２に接着剤を塗布する。接着剤が塗布されると、製造者は、防食コア２２の内筒部７０をフランジ本体２０の外筒部３０内に挿入する。引き続き、製造者は、防食コア２２をフランジ本体２０内に押し込む。この押し込みに伴い、抜止部７２が外筒部３０内に進入する。進入した抜止部７２はコア固定部３２の溝に嵌まる。これによりコア固定部３２で抜止部７２がフランジ本体２０に連結される。抜止部７２がフランジ本体２０に連結されると、シール鍔部７４がフランジ鍔部３４に接触してたわむ。この状態で、製造者は、凹部５２に塗布された接着剤を乾燥させる。この乾燥により、フランジ形管継手１０の組立が完了する。
【００２３】
［使用方法の説明］
本実施形態にかかるフランジ形管継手１０の使用方法は従来から周知のフランジ形管継手の使用方法と同様である。したがって、ここではその詳細な説明は繰返されない。
【００２４】
［本実施形態にかかるフランジ形管継手の効果］
本実施形態にかかるフランジ形管継手１０では、抜止部７２がコア固定部３２でフランジ本体２０に連結されると、内筒部７０が外筒部３０から抜けることは防止される。抜止部７２がコア固定部３２でフランジ本体２０に連結されると、フランジ鍔部３４がフランジ本体２０に接触してたわむ。フランジ鍔部３４がたわむと、内筒部７０に対して外筒部３０から引き抜こうとする力が作用する。内筒部７０に対して外筒部３０から引き抜こうとする力が作用する一方、内筒部７０が外筒部３０から抜けることが防止されると、防食コア２２ががたつくことは防止される。これにより、がたつき防止の信頼性を向上させることができる。
【００２５】
本実施形態にかかるフランジ形管継手１０では、シール鍔部７４が、内筒部７０から離れるにつれ内筒部７０の他端部８２側へ寄っている。これにより、そうでない場合に比べ、フランジ鍔部３４に接触することによるたわみが大きくなる。たわみが大きいので、内筒部７０を外筒部３０から引き抜こうとする力が大きくなる。その力が大きくなるので、がたつき防止の信頼性を向上させることができる。
【００２６】
本実施形態にかかるフランジ形管継手１０では、フランジ本体２０が凹部５２を有する。凹部５２にはシール鍔部７４が嵌まる。シール鍔部７４がない場合は、開口４５から漏れた流体によりフランジ本体２０の腐食の恐れがあった。シール鍔部７４により、開口４５の周りがシールされるので、フランジ本体２０の腐食の恐れはなくなる。
【００２７】
＜第２の実施形態＞
以下、図面を参照しつつ、本発明の第２の実施形態について説明する。以下の説明では、同一の部品には同一の符号を付してある。それらの名称及び機能も同一である。第１の実施形態において説明された部品には第１の実施形態と同一の符号を付してある。したがって、それらについての詳細な説明は繰返さない。
【００２８】
［構造の説明］
図３は、本実施形態にかかるフランジ形管継手１１０の断面図である。図３に基づいて、本実施形態にかかるフランジ形管継手１１０の構成が説明される。本実施形態にかかるフランジ形管継手１１０は、第１の実施形態にかかるフランジ形管継手１０と同様に、２枚１組、または、他のフランジとの組合せで用いられる。２枚のフランジ形管継手１１０は、図示しないボルトとナットとによって一体化される。それらのボルトとナットとは図示されていない。２枚のフランジ形管継手１１０の間には、ガスケットが挟まれる。ガスケットも図示されていない。本実施形態にかかるフランジ形管継手１１０は、フランジ本体１２０と、防食コア１２２とを備える。
【００２９】
図３に基づいて、本実施形態にかかるフランジ本体１２０の構成が説明される。第１の実施形態と同様、本実施形態にかかるフランジ本体１２０の素材は鋳鉄である。フランジ本体１２０は、外筒部３０と、コア固定部１３２と、フランジ鍔部３４と、シール部３６とを有する。コア固定部１３２は、外筒部３０の内周に配置される。本実施形態の場合、コア固定部１３２にはめねじが設けられている。本実施形態の場合、このめねじは左ねじである。
【００３０】
図４は、本実施形態にかかる防食コア１２２の図である。図４において、防食コア１２２の左半分は断面図となっている。図３と図４とに基づいて、本実施形態にかかる防食コア１２２の構成が説明される。第１の実施形態同様に、本実施形態の場合にも、防食コア１２２はポリエチレン樹脂製である。防食コア１２２は、内筒部７０と、抜止部１７２と、シール鍔部７４と、管内面シール部７６とを有する。抜止部１７２は内筒部７０の一端部８０の外周に設けられる。本実施形態の場合、抜止部１７２にはおねじが設けられている。これにより、内筒部７０の外周におねじが設けられていることになる。本実施形態の場合、このおねじは左ねじである。抜止部１７２のおねじはフランジ本体１２０のコア固定部１３２のめねじとかみ合う。抜止部１７２は、そのおねじがコア固定部１３２のめねじとかみ合うことで、内筒部７０が外筒部３０から抜けることを防止する。抜止部１７２がコア固定部１３２でフランジ本体１２０に連結されることとなる。コア固定部１３２が防食コア１２２を固定することとなる。これにより、防食コア１２２はフランジ本体１２０と一体化する。
【００３１】
［組立方法の説明］
本実施形態にかかるフランジ形管継手１１０の組立方法は以下の通りである。まず、製造者は、フランジ本体１２０の凹部５２とコア固定部１３２のめねじと抜止部１７２のおねじとに接着剤を塗布する。接着剤が塗布されると、製造者は、防食コア１２２の内筒部７０をフランジ本体１２０の外筒部３０内に挿入する。引き続き、製造者は、防食コア１２２をフランジ本体１２０内にねじ込む。このねじ込みに伴い、抜止部１７２が外筒部３０内に進入する。進入した抜止部１７２のおねじはコア固定部１３２ののめねじとかみ合う。これによりコア固定部１３２で抜止部１７２がフランジ本体１２０に連結される。抜止部１７２がフランジ本体１２０に連結されると、シール鍔部７４がフランジ鍔部３４に接触してたわむ。この状態で、製造者は、凹部５２に塗布された接着剤を乾燥させる。この乾燥により、フランジ形管継手１１０の組立が完了する。
【００３２】
［使用方法の説明］
本実施形態にかかるフランジ形管継手１１０の使用方法は従来から周知のフランジ形管継手の使用方法と同様である。したがって、ここではその詳細な説明は繰返されない。
【００３３】
［本実施形態にかかるフランジ形管継手の効果］
本実施形態にかかるフランジ形管継手１１０では、抜止部１７２がコア固定部１３２でフランジ本体１２０に連結されると、内筒部７０が外筒部３０から抜けることは防止される。抜止部１７２がコア固定部１３２でフランジ本体１２０に連結されると、フランジ鍔部３４がフランジ本体１２０に接触してたわむ。フランジ鍔部３４がたわむと、内筒部７０に対して外筒部３０から引き抜こうとする力が作用する。内筒部７０に対して外筒部３０から引き抜こうとする力が作用する一方、内筒部７０が外筒部３０から抜けることが防止されると、防食コア１２２ががたつくことは防止される。これにより、がたつき防止の信頼性を向上させることができる。
【００３４】
本実施形態にかかるフランジ形管継手１１０では、シール鍔部７４が、内筒部７０から離れるにつれ内筒部７０の他端部８２側へ寄っている。これにより、そうでない場合に比べ、フランジ鍔部３４に接触することによるたわみが大きくなる。たわみが大きいので、内筒部７０を外筒部３０から引き抜こうとする力が大きくなる。その力が大きくなるので、がたつき防止の信頼性を向上させることができる。
【００３５】
本実施形態にかかるフランジ形管継手１１０では、フランジ本体１２０が凹部５２を有する。凹部５２にはシール鍔部７４が嵌まる。シール鍔部７４がない場合は、開口４５から漏れた流体によりフランジ本体１２０の腐食の恐れがあった。シール鍔部７４により、開口４５の周りがシールされるので、フランジ本体１２０の腐食の恐れはなくなる。
【００３６】
<変形例の説明>
今回開示された実施形態はすべての点で例示である。本発明の範囲は上述した実施形態に基づいて制限されるものではなく、本発明の趣旨を逸脱しない範囲で種々の設計変更をしてもよいのはもちろんである。
【００３７】
例えば、防食コアの抜止部の具体的な形態は上述したものに限定されない。図５は本発明の第３の実施形態にかかる防食コア２４の図である。図５において、防食コア２４の左半分は断面図となっている。この防食コア２４は、図２に示された抜止部７２に代えて、複数の突起からなる抜止部７８を有する。この抜止部７８も、図２に示された抜止部７２と同様、第１の実施形態にかかるコア固定部３２の溝に嵌まることで、内筒部７０が外筒部３０から抜けることを防止する。
【００３８】
また、フランジ本体２０，１２０の凹部５２がテーパ状の底面を有していてもよい。このテーパ状の底面は外筒部３０の一端部４０の開口４５へ近づくにつれ窄まる。これにより、シール鍔部７４のうち外縁部分が凹部５２に接触しやすくなる。内筒部７０に近い部分は凹部５２に接触し難くなる。外縁部分が凹部５２に接触しやすく内筒部７０に近い部分が凹部５２に接触し難いので、シール鍔部７４が大きくたわみやすくなる。大きくたわみやすくなるので、シール鍔部７４がフランジ鍔部３４にしっかりと押し付けられる。これにより、がたつき防止の信頼性を向上させることができる。
【００３９】
また、抜止部１７２のおねじとコア固定部１３２のめねじとが右ねじであってもよい。
【符号の説明】
【００４０】
１０，１１０…フランジ形管継手、
２０，１２０…フランジ本体、
２２，２４，１２２…防食コア、
３０…外筒部、
３２，１３２…コア固定部、
３４…フランジ鍔部、
３６…シール部、
４０，８０…一端部、
４２，８２…他端部、
４５，４７，８５，８７…開口、
５０…密着部、
５２…凹部、
６０…中心軸、
７０…内筒部、
７２，７８，１７２…抜止部、
７４…シール鍔部、
７６…管内面シール部、
９０…外縁部、
９２…付け根部分、
【図１】
2014219087.tif 000003
【図２】
2014219087.tif 000004
【図３】
2014219087.tif 000005
【図４】
2014219087.tif 000006
【図５】
2014219087.tif 000007